(57)【特許請求の範囲】
【請求項１】
光源バルブと、この光源バルブからの光を前方へ反射させる反射面を有するリフレクタと、このリフレクタの前方に設けられたレンズと、を備えた車輌用標識灯において、
上記レンズが、該レンズの車幅方向外方端部側が後退するよう左右方向に傾斜しており、
上記反射面が、該反射面を複数のセグメントに区分けするとともにこれら各セグメントに反射面素子を割り付けることにより構成されており、
上記各反射面素子が、上記リフレクタの光軸を共通の軸線としかつ該光軸上の定点を共通の焦点とする焦点距離が異なる複数の回転放物面の各々を基準面として設定された曲面で構成されており、
上記各回転放物面の焦点距離が、上記光軸よりも車幅方向内方側では該光軸から遠い位置にある反射面素子の基準面を構成する回転放物面ほど小さい値に設定されるとともに、上記光軸よりも車幅方向外方側では該光軸から遠い位置にある反射面素子の基準面を構成する回転放物面ほど大きい値に設定されている、ことを特徴とする車輌用標識灯。
【請求項２】
上記光軸に対して車幅方向内方側に位置する上記各反射面素子の上記光軸側の端部に形成される段差部が、灯具正面視において所定幅を有するようにして形成されている、ことを特徴とする請求項１記載の車輌用標識灯。
【請求項３】
灯具正面視における上記各セグメントの幅が、上記光軸から遠い位置にあるセグメントほど狭くなるように設定されている、ことを特徴とする請求項１または２記載の車輌用標識灯。
【請求項４】
上記各セグメントが互いに略平行に延びる帯状セグメントからなり、
上記レンズに、上記各セグメントが延びる方向と略直交する方向に延びる複数の帯状のレンズステップが形成されている、ことを特徴とする請求項１〜３いずれか記載の車輌用標識灯。
【請求項５】
上記各反射面素子が、上記光源バルブからの光を拡散反射させる拡散反射面素子からなる、ことを特徴とする請求項１〜４いずれか記載の車輌用標識灯。
【発明の詳細な説明】
【０００１】
【発明の属する技術分野】
本願発明は、リフレクタの反射面に複数の反射面素子が形成された車輌用標識灯に関するものである。
【０００２】
【従来の技術】
近年の車輌用標識灯においては、反射面に複数の反射面素子が形成された、いわゆるステップリフレクタが多く採用されている。
【０００３】
このようなステップリフレクタを備えた標識灯においては、レンズを素通しあるいはそれに近い状態にすることができるので、これを外部から観察すると、レンズを透して上記各反射面素子がキラキラと光って見え、このため見映えの良い灯具を得ることができる。
【０００４】
【発明が解決しようとする課題】
上記ステップリフレクタの反射面は、該反射面を複数のセグメントに区分けするとともにこれら各セグメントに反射面素子を割り付けることにより構成されるが、従来のステップリフレクタは、単なる回転放物面に上記各反射面素子が形成されているに過ぎないので、図８に示すように、奥行き寸法が長い灯具においては、上記反射面６ａの両側に大きな立壁８が形成されることとなる。
【０００５】
このようなステップリフレクタ６を灯具斜め前方から観察したとき、点灯時においては、上記反射面６ａは光源バルブ２からの光の反射によって複数の反射面素子６ｓがキラキラと光って見えるのに対し、上記各立壁８はほとんど光らず、また、非点灯時においては、上記反射面２ａは外部光の反射によって複数の反射面素子２ｓがキラキラと光って見えるのに対し、上記各立壁４は平面的に光って見えるだけである。このように点灯時・非点灯時いずれの場合においても、上記反射面２ａと上記各立壁８とが意匠上不連続となるため、観察者に違和感を与えてしまい、あまり見映えが良くない、という問題がある。
【０００６】
本願発明は、このような事情に鑑みてなされたものであって、ステップリフレクタを備えた標識灯において、点灯時および非点灯時の見映えを向上させることができる車輌用標識灯を提供することを目的とするものである。
【０００７】
【課題を解決するための手段】
本願発明は、上記各反射面素子を形成する際の基準面の形状に工夫を施すことにより、上記目的達成を図るようにしたものである。
【０００８】
すなわち、本願発明は、請求項１に記載したように、
光源バルブと、この光源バルブからの光を前方へ反射させる反射面を有するリフレクタと、このリフレクタの前方に設けられたレンズと、を備えた車輌用標識灯において、
上記レンズが、該レンズの車幅方向外方端部側が後退するよう左右方向に傾斜しており、
上記反射面が、該反射面を複数のセグメントに区分けするとともにこれら各セグメントに反射面素子を割り付けることにより構成されており、
上記各反射面素子が、上記リフレクタの光軸を共通の軸線としかつ該光軸上の定点を共通の焦点とする焦点距離が異なる複数の回転放物面の各々を基準面として設定された曲面で構成されており、
上記各回転放物面の焦点距離が、上記光軸よりも車幅方向内方側では該光軸から遠い位置にある反射面素子の基準面を構成する回転放物面ほど小さい値に設定されるとともに、上記光軸よりも車幅方向外方側では該光軸から遠い位置にある反射面素子の基準面を構成する回転放物面ほど大きい値に設定されている、ことを特徴とするものである。
【０００９】
上記「各セグメント」の具体的形状については特に限定されるものではなく、例えば、上記反射面を格子状に区分けすることにより形成される矩形状のセグメント、上記反射面を縞状に区分けすることにより形成される帯状のセグメント、上記反射面を同心状に区分けすることにより形成されるループ状のセグメント等が採用可能である。また、上記「各セグメント」の幅についても特に限定されるものではなく、一定ピッチ、徐変ピッチ、ランダムピッチ等、任意に設定可能である。例えば、徐変ピッチとする場合の具体例としては、請求項３に記載したように、灯具正面視における上記各セグメントの幅が、上記光軸から遠い位置にあるセグメントほど狭くなるように設定された構成が採用可能である。
【００１０】
上記「各反射面素子」は、上記複数の回転放物面の各々を基準面として設定された曲面で構成されたものであれば、その具体的形状については特に限定されるものではない。
【００１１】
【発明の作用効果】
上記構成に示すように、本願発明に係る車輌用標識灯は、そのレンズが、該レンズの車幅方向外方端部側が後退するよう左右方向に傾斜しており、また、そのリフレクタの反射面が、該反射面を複数のセグメントに区分けするとともにこれら各セグメントに反射面素子を割り付けることにより構成されているが、上記各反射面素子は、上記リフレクタの光軸を共通の軸線としかつ該光軸上の定点を共通の焦点とする焦点距離が異なる複数の回転放物面（以下「多重放物面」という。）の各々を基準面として設定された曲面で構成されており、その際、上記各回転放物面の焦点距離は、上記光軸よりも車幅方向内方側では該光軸から遠い位置にある反射面素子の基準面を構成する回転放物面ほど小さい値に設定されるとともに、上記光軸よりも車幅方向外方側では該光軸から遠い位置にある反射面素子の基準面を構成する回転放物面ほど大きい値に設定されているので、次のような作用効果を得ることができる。
【００１２】
すなわち、車幅方向外方端部側が後退するよう左右方向に傾斜したレンズを備えた標識灯のリフレクタは、その光軸よりも車幅方向内方側の部分は奥行き寸法が長く、車幅方向外方側の部分は奥行き寸法が短い反射面形状となる。このため、通常は、上記リフレクタの反射面の車幅方向内方側の端部に大きな立壁が形成されることとなる。そして、このような標識灯においては、車幅方向外方側の灯具斜め前方から灯具内部がよく見えてしまうので、上記立壁の存在による弊害（「発明が解決しようとする課題」の欄参照）が顕著なものとなる。
【００１３】
これに対し、本願発明に係る車輌用標識灯は、上記反射面において上記光軸よりも車幅方向内方側の領域（以下「内方側反射領域」という。）に、上記光軸から遠い位置にある反射面素子の基準面を構成する回転放物面ほど焦点距離が小さい値に設定された多重放物面（以下「焦点距離減少型多重放物面」という。）が適用されているので、該反射領域をその全域にわたって上記各反射面素子がキラキラと光って見えるようにすることができる。また、上記反射面において上記光軸よりも車幅方向外方側の領域（以下「外方側反射領域」という。）には、上記光軸から遠い位置にある反射面素子の基準面を構成する回転放物面ほど焦点距離が大きい値に設定された多重放物面（以下「焦点距離増大型多重放物面」という。）が適用されているので、上記レンズに対して上記反射面を広い範囲にわたって開口させることができ、これにより大きな発光面積を確保することができる。
【００１４】
したがって、本願発明によれば、ステップリフレクタを備えた標識灯において、点灯時および非点灯時の見映えを向上させることができる。
【００２１】
上記構成においては、上記外方側反射領域に焦点距離増大型多重放物面が適用されているが、このような反射領域を構成する上記各反射面素子においては、その上記光軸側の端部に、上記光軸から遠ざかる側が後退する段差部が形成される。このため、点灯時、上記各反射面素子の一般には、上記光源バルブからの光が上記段差部の陰になって入射せずに暗く見える影の部分が形成されてしまう。
【００２２】
一方、上記内方側反射領域には焦点距離減少型多重放物面が適用されているので、この反射領域を構成する上記各反射面素子の上記光軸側の端部には、上記光軸から遠ざかる側が突出する段差部が形成されるが、点灯時、灯具正面視においてこれら各段差部は光らずに暗部となる。
【００２３】
そこで、請求項２に記載したように、上記内方側反射領域に形成される上記各段差部を、灯具正面視において所定幅を有する構成とすることにより、上記外方側反射領域において上記各段差部により形成される影の部分に対応する暗部が上記内方側反射領域にも形成されるようにすれば、上記両反射領域の見え方のバランスをとることができ、これにより灯具の見映え向上を図ることができる。
【００２４】
本願発明において、上記「各セグメント」の具体的形状が特に限定されるものでないことはすでに述べたとおりであるが、請求項４に記載したように、上記各セグメントを、互いに略平行に延びる帯状セグメントからなる構成とし、かつ、上記レンズを、上記各セグメントが延びる方向と略直交する方向に延びる複数の帯状のレンズステップが形成された構成とすれば、上記各帯状セグメントに割り付けられた反射面素子からの反射光を上記各レンズステップにより偏向あるいは拡散させることができるので、灯具を一層キラキラした感じで光らせることができる。
【００２５】
また、上記「各反射面素子」の具体的形状が特に限定されるものでないことについてもすでに述べたとおりであるが、請求項５に記載したように、上記各反射面素子を、上記光源バルブからの光を拡散反射させる拡散反射面素子からなる構成とすれば、それ自体でキラキラ感を高めることができる上、上記レンズが負担すべき拡散機能の全部または一部を上記リフレクタに負担させることができるので、該レンズを素通しあるいはそれに近い状態とすることができ、これにより一層キラキラ感を高めることができる。
【００２６】
【発明の実施の形態】
以下、図面を用いて、本願発明の実施の形態について説明する。
【００２７】
図１は、本願発明の一実施形態に係る車輌用標識灯を示す正面図であり、図２および３は、そのII-II 線およびIII-III 線断面図である。
【００２８】
これらの図に示すように、本実施形態に係る標識灯（灯具）１０は、自動車の車体右側後端部に設けられるターンシグナルランプであって、上下方向に延びるフィラメント１２ａを有する光源バルブ１２と、この光源バルブ１２をソケット１４を介して支持するとともに、該光源バルブ１２からの光を前方（灯具としての前方であって車体としては後方、以下同様）へ向けて左右方向に拡散反射させる反射面１６ａを有するリフレクタ１６と、このリフレクタ１６の前方に配置されるとともに該リフレクタ１６に固定されたレンズ１８とを備えてなり、左右方向に長い矩形の外形形状を有している。
【００２９】
図２に２点鎖線で示すように、上記標識灯１０の両側には、車体パネル１０２、１０４が上記レンズ１８と略面一で延びている。
【００３０】
上記光源バルブ１２は、その光軸Ａｘ′を上記リフレクタ１６の光軸Ａｘに対して車幅方向外方側にやや傾斜させるようにして、かつ、そのフィラメント１２ａを上記光軸Ａｘ上に位置させるようにして、上記リフレクタ１６に挿着されている。
【００３１】
上記リフレクタ１６の反射面１６ａにおける上記光軸Ａｘよりも右側の領域（右側反射領域）は、上記光軸Ａｘと略直交する方向へ延びているが、上記反射面１６ａにおける上記光軸Ａｘよりも左側の領域（左側反射領域）は、上記光軸Ａｘからあまり離れることなくと灯具前方側へ延びている。そして、これにより、上記標識灯１０を車体右側後端部のコーナスペースに配設可能としている。
【００３２】
上記レンズ１８は、その右端部側が後退するよう左右方向に大きく傾斜した表面形状を有しており、その内面には複数のレンズステップ１８ｓが形成されている。これら各レンズステップ１８ｓは、左右方向に延びる凸状のシリンドリカルレンズステップからなり、上記光軸Ａｘから上下方向に離れるに従って徐々に上下ピッチが狭くなるように形成されている。そして、これらレンズステップ１８ｓにより、上記反射面１６ａからの反射光を上下方向に拡散させながら透過させるようになっている。
【００３３】
図４は、上記標識灯１０をそのレンズ１８を外して示す正面図である。
【００３４】
図示のように、上記リフレクタ１６は、その反射面１６ａの全域にわたって複数の反射面素子１６ｓが形成されてなっている。これら各反射面素子１６ｓは、縦縞状に区分けされた複数の帯状セグメントＳＧの各々に割り付けられている。
【００３５】
灯具正面視における上記各帯状セグメントＳＧの左右幅は、上記反射面１６ａにおける上記光軸Ａｘの左右両側いずれの部分においても、上記光軸Ａｘから離れるに従って徐々に狭くなるように設定されている。そして、これら各帯状セグメントＳＧの各々に割り付けられた上記各反射面素子１６ｓは、いわゆる多重放物面を基準面とする左右拡散反射面素子として形成されている。
【００３６】
すなわち、図４のV-V 線断面詳細図である図５に示すように、上記各反射面素子１６ｓは、上記光軸Ａｘを共通の軸線としかつ該光軸Ａｘと上記光源バルブ１２の光軸Ａｘ′との交点（すなわち上記フィラメント１２ａの位置）を共通の焦点とする焦点距離が異なる複数の回転放物面の各々を基準面として設定された曲面で構成されている。この曲面は、上下方向に延びる凹状のシリンドリカル曲面であって、上記基準面よりも大きい曲率で形成されている。
【００３７】
上記反射面１６ａの右側反射領域では、上記各回転放物面Ｐ１、Ｐ２、・・・の焦点距離ｆ１、ｆ２、・・・は、上記光軸Ａｘから離れるに従って徐々に大きな値になるように設定されており、一方、上記反射面１６ａの左側反射領域では、上記各回転放物面Ｐ１′、Ｐ２′、・・・の焦点距離ｆ１′、ｆ２′、・・・は、上記光軸Ａｘから離れるに従って徐々に小さな値になるように設定されている。
【００３８】
そして、これにより、上記光軸Ａｘと略直交する方向へ延びる右側反射領域と、上記光軸Ａｘからあまり離れることなく灯具前方側へ延びる左側反射領域とからなる上記反射面１６ａを構成するとともに、上記各反射面素子１６ｓによって上記光源バルブ１２からの光を左右方向に拡散反射させるようにしている。
【００３９】
このように多重放物面を基準面として形成された上記各反射面素子１６ｓにおいては、その上記光軸Ａｘ側の端部に段差部２０が形成されることとなる。しかしながら、上記基準面の設定方法が、上記右側反射領域と上記左側反射領域とでは逆になっているため、上記右側反射領域においては、上記光軸Ａｘから遠ざかる側が後退する段差部として形成されるのに対し、上記左側反射領域においては、上記光軸Ａｘから遠ざかる側が突出する段差部として形成される。
【００４０】
上記各段差部２０の高さは、上記右側反射領域においては、上記光軸Ａｘから遠い位置にある段差部ほど低くなるように設定されており、上記左側反射領域においては、上記光軸Ａｘから遠い位置にある段差部ほど高くなるように設定されている。なお、これら段差部２０の高さの調整は、上記各回転放物面Ｐ１、Ｐ２、・・・の焦点距離ｆ１、ｆ２、・・・の値および上記各回転放物面Ｐ１′、Ｐ２′、・・・の焦点距離ｆ１′、ｆ２′、・・・の値を調整することによって行われる。
【００４１】
上記各段差部２０の左右幅は、左右いずれの反射領域においても、上記光軸Ａｘから遠い位置にある段差部ほど狭くなるように設定されている。ただし、上記光軸Ａｘから同じｉ番目の段差部を比較すると、上記右側反射領域の段差部２０Ｒｉよりも上記左側反射領域の段差部２０Ｌｉの方が、広幅になるように設定されている。なお、これら段差部２０の左右幅の調整は、該段差部２０の傾斜角を調整することによって行われる。
【００４２】
図６は、上記光源バルブ１２を点灯させたときの上記反射面１６ａの灯具正面からの見え方を示す図である。
【００４３】
上記各反射面素子１６ｓは左右拡散機能を有していることから、図示のように、上記各反射面素子１６ｓは、該反射面素子１６ｓからの反射光により、その左右方向略中央部分が縦筋状の光輝部Ｂｒｏとして光って見える。これら各光輝部Ｂｒｏの左右間隔は、上記各帯状セグメントＳＧの左右幅が上記光軸Ａｘから離れるに従って徐々に狭くなるように設定されていることから、上記光軸Ａｘから離れるに従って徐々に狭くなる。また、上記各反射面素子１６ｓは、上記光軸Ａｘから離れるに従ってその左右幅が徐々に狭くなる反面その曲率が大きくなっており、このため、上記各光輝部Ｂｒｏの左右幅は、上記光軸Ａｘから離れるに従って徐々に狭くなる。
【００４４】
同図において、斜線で示す領域Ｄｏは、上記各反射面素子１６ｓの一般部において上記光源バルブ１２からの光を上記光軸Ａｘ方向へ反射しないために光らない部分である。また、上記右側反射領域において網線で示す領域Ｄｓｏは、上記光源バルブ１２からの光が上記段差部２０の陰になって入射しない部分であって、単に光らないだけの上記領域Ｄｏよりもかなり暗く見える影の部分である。さらに、上記左側反射領域においてドット付斜線で示す領域Ｄｇｏは、上記各反射面素子１６ｓの段差部２０であって、上記各反射面素子１６ｓの一般部に比して傾斜が急な平面からなるため、上記領域Ｄｏよりも暗く見える暗部である。
【００４５】
図７は、上記リフレクタ１６に上記レンズ１８を被せた状態（すなわち上記灯具１０としての状態）で、上記光源バルブ１２を点灯させたときの上記反射面１６ａの灯具正面からの見え方を示す図である。
【００４６】
上記各レンズステップ１８ｓは上下方向の拡散機能を有していることから、上記各反射面素子１６ｓの光輝部Ｂｒｏは、上記各レンズステップ１８ｓにより上下方向に離散せしめられて、図示のように、散点的に光る光輝部Ｂｒ１として見える。これら各光輝部Ｂｒ１の左右幅および上下幅は上記光軸Ａｘから離れるに従って徐々に狭くなり、また、その左右間隔および上下間隔も上記光軸Ａｘから離れるに従って徐々に狭くなる。
【００４７】
以上詳述したように、本実施形態に係る標識灯１０のリフレクタ１６は、その反射面１６ａが、上記光軸Ａｘと略直交する方向へ延びる右側反射領域と、上記光軸Ａｘからあまり離れることなくと灯具前方側へ延びる左側反射領域とで構成されているが、上記右側反射領域は、焦点距離増大型多重放物面の各々を基準面とする複数の反射面素子１６ｓで構成されているので、レンズ１８に対して上記反射面１６ａを広い範囲にわたって開口させて大きな発光面積を確保することができ、一方、上記左側反射領域は、焦点距離減少型多重放物面の各々を基準面とする複数の反射面素子１６ｓで構成され、これら各反射面素子１６ｓが上記リフレクタ１６の光軸Ａｘから離れるに従って徐々に前方に変位して配されるので、従来のように反射面の車幅方向内方側に大きな立壁が形成されるのを防止して、該左側反射領域をその全域にわたって上記各反射面素子１６ｓがキラキラと光って見えるようにすることができる。
【００４８】
したがって、本実施形態によれば、ステップリフレクタを備えた標識灯において、点灯時および非点灯時の見映えを向上させることができる。
【００４９】
特に、本実施形態に係る標識灯１０においては、車幅方向外方側の灯具斜め前方から灯具内部がよく見えてしまうので、大きな立壁の代わりにキラキラと光って見える複数の反射面素子１６ｓを配した構成とすることが効果的である。
【００５０】
ところで、本実施形態においては、上記右側反射領域に焦点距離増大型多重放物面が適用されているので、上記各反射面素子１６ｓの上記光軸Ａｘ側の端部に形成される段差部２０により、点灯時には、上記各反射面素子１６ｓに影の部分Ｄｓｏが形成されるが、焦点距離減少型多重放物面が適用されている上記左側反射領域に形成された各段差部２０の左右幅が、上記各影の部分Ｄｓｏの左右幅と略同じ寸法に設定されており、点灯時には、これら各段差部２０が暗部Ｄｇｏとして形成されるようになっている。このため、点灯時、上記光軸Ａｘの左右両側に同様の縦縞状パターンで上記複数の影の部分Ｄｓｏおよび暗部Ｄｇｏが現れ、これにより上記右側反射領域および上記左側反射領域の見え方のバランスをとることができ、灯具の見映え向上を図ることができる。
【００５１】
また、本実施形態においては、上記各反射面素子１６ｓが、上記光源バルブ１２からの光を左右方向に拡散反射させる拡散反射面素子からなり、また、上記レンズ１８に形成された各レンズステップ１８ｓが、左右方向に延びる凸状のシリンドリカルレンズステップからなり、上記反射面１６ａからの反射光を上下方向に拡散させながら透過させるようになっているので、灯具を観察したとき上記反射面１６ａが細かくキラキラ光って見えるようにすることができる。特に、点灯時においては、図７に示すように、上記各光輝部Ｂｒ１の大きさが上記光軸Ａｘから放射状に徐々に小さくなるパターンで光って見えるので、観察者に斬新な印象を与えることができる。
【００５２】
さらに、本実施形態においては、上記反射面１６ａの右側反射領域が車体側方へ向かって延びているので、上記光源バルブ１２からの直射光を車体側方に出射させることができ、これにより車体側方への照射光量を十分に確保することができる。しかも、上記反射面１６ａの左側反射領域には、その後部領域にまで段差部２０が形成されているので、該段差部２０からの反射光によっても車体側方への照射光量を増大させることができる。
【図面の簡単な説明】
【図１】本願発明の一実施形態に係る車輌用標識灯を示す正面図
【図２】図１のII-II 線断面図
【図３】図１のIII-III 線断面図
【図４】上記実施形態の標識灯をそのレンズを外して示す正面図
【図５】図４のV-V 線断面詳細図
【図６】第１実施形態において、レンズを外した状態で光源バルブを点灯させたときの反射面の、灯具正面からの見え方を示す図
【図７】第１実施形態において、レンズを被せた状態で光源バルブを点灯させたときの反射面の、灯具正面からの見え方を示す図
【図８】従来例を示す、図２と同様の図
【符号の説明】
１０  標識灯（灯具）
１２  光源バルブ
１２ａ  フィラメント
１６  リフレクタ
１６ａ  反射面
１６ｓ  反射面素子
１８  レンズ
１８ｓ  レンズステップ
２０、２０Ｒｉ、２０ｉ  段差部
１０２、１０４  車体パネル
Ａｘ  リフレクタの光軸
Ａｘ′  光源バルブの光軸
Ｂｒｏ、Ｂｒ１  光輝部
Ｄｏ  光らない部分
Ｄｇｏ  暗部
Ｄｓｏ  影の部分
ＳＧ  帯状セグメント
【図１】
0003732295.tif 000002
【図２】
0003732295.tif 000003
【図３】
0003732295.tif 000004
【図４】
0003732295.tif 000005
【図５】
0003732295.tif 000006
【図６】
0003732295.tif 000007
【図７】
0003732295.tif 000008
【図８】
0003732295.tif 000009